【手続補正書】
【提出日】平成21年2月23日(2009.2.23)
【手続補正１】
【補正対象書類名】特許請求の範囲
【補正対象項目名】全文
【補正方法】変更
【補正の内容】
【特許請求の範囲】
【請求項１】
画像データと、該画像データを符号化した後に復号して得られる予測画像データとの差分データを符号化する符号化装置であって、
予測画像データと差分データとを加算して得られる補償データを保存する補償データ保存手段と、
処理対象となる対象画素ブロックの予測画像データを、前記補償データ保存手段に保存される補償データのうち対象画素ブロックと隣接する隣接画素ブロックに含まれて、かつ所定の方向に配置された画素に相当する補償データを使用して生成する予測画像データ生成手段と、を備え、
前記補償データ保存手段は、隣接画素ブロックの画素の補償データを、隣接画素ブロックにおける当該画素の配置方向に基づいて保存することを特徴とする符号化装置。
【請求項２】
対象画素ブロック、隣接画素ブロックが共に行方向及び行方向と直交する列方向に配置された画素によって構成され、前記補償データ保存手段は、隣接画素ブロックに含まれる画素のうち行方向に配置された画素の補償データだけを保存するラインバッファと、列方向に配置された画素の補償データだけを保存するカラムバッファとを含むことを特徴とする請求項１に記載の符号化装置。
【請求項３】
前記補償データ保存手段は、さらに、画素１つ分の補償データだけを保存する点バッファを備えることを特徴とする請求項２に記載の符号化装置。
【請求項４】
補償データを１フレーム分蓄積するフレームメモリを備え、前記補償データ保存手段は、補償データを前記フレームメモリに蓄積される以前に取り込んで保存することを特徴とする請求項１から３のいずれか１項に記載の符号化装置。
【請求項５】
前記予測画像データ生成手段によって生成された予測画像データにより、前記補償データ保存手段を更新することを特徴とする請求項１から４のいずれか１項に記載の符号化装置。
【請求項６】
入力された画像データと、該画像データを符号化した後に復号化して得られる予測画像データとの差分データを符号化したデータを復号する復号化装置であって、
予測画像データと差分データとを加算して得られる補償データを保存する補償データ保存手段と、
前記補償データ保存手段によって保存されている補償データを複数の画素でなる画素ブロックごとに演算して予測画像データを生成する予測画像データ生成手段と、を備え、
前記予測画像データ生成手段は、処理対象となる対象画素ブロックの予測画像データを、前記補償データ保存手段に保存される補償データのうち対象画素ブロックと隣接する隣接画素ブロックに含まれて、かつ所定の方向に配置された画素に相当する補償データを使用して生成し、前記補償データ保存手段は、隣接画素ブロックの画素の補償データを、隣接画素ブロックにおける当該画素の配置方向に基づいて保存することを特徴とする復号化装置。
【請求項７】
画像データと、該画像データを符号化した後に復号して得られる予測画像データとの差分データを符号化する符号化装置と、該符号化装置によって符号化された差分データと予測画像データとを足し合わせて得られる補償データに基づいて画像データを生成する復号化装置と、を備えたデータ処理システムであって、
前記符号化装置及び前記復号化装置は、補償データを保存する補償データ保存手段と、該補償データ保存手段に保存されている補償データを複数の画素でなる画素ブロックごとに演算して予測画像データを生成する予測画像データ生成手段を備え、
前記予測画像データ生成手段は、処理対象となる対象画素ブロックの予測画像データを、前記補償データ保存手段に保存される補償データのうち対象画素ブロックと隣接する隣接画素ブロックに含まれて、かつ所定の方向に配置された画素に相当する補償データを使用して生成し、前記補償データ保存手段は、隣接画素ブロックの画素の補償データを、隣接画素ブロックにおける当該画素の配置方向に基づいて保存することを特徴とするデータ処理システム。
【手続補正２】
【補正対象書類名】明細書
【補正対象項目名】００１４
【補正方法】変更
【補正の内容】
【００１４】
また、本発明の復号化装置は、入力された画像データと、該画像データを符号化した後に復号化して得られる予測画像データとの差分データを復号する復号化装置であって、予測画像データと差分データとを加算して得られる補償データを保存する補償データ保存手段と、前記補償データ保存手段によって保存されている補償データを複数の画素でなる画素ブロックごとに演算して予測画像データを生成する予測画像データ生成手段と、を備え、前記予測画像データ生成手段は、処理対象となる対象画素ブロックの予測画像データを、前記補償データ保存手段に保存される補償データのうち対象画素ブロックと隣接する隣接画素ブロックに含まれて、かつ所定の方向に配置された画素に相当する補償データを使用して生成し、前記補償データ保存手段は、隣接画素ブロックの画素の補償データを、隣接画素ブロックにおける当該画素の配置方向に基づいて保存することを特徴とする。
【手続補正３】
【補正対象書類名】明細書
【補正対象項目名】００２３
【補正方法】変更
【補正の内容】
【００２３】
また、符号化装置は、予測画像データと入力画像の入力画素データとの差分のデータであって、逆整数トランスフォーム部２０７によって処理されたものに予測画像データをたし合わせる加算器２０８、加算によって生成された画素データ（以降補償データと記す）のブロックノイズの発生を抑制するデブロッキング・フィルタ（ＤｅｂｌｏｃｋｉｎｇＦｉｌｔｅｒ）２０９を備えている。デブロッキング・フィルタ２０９は、整数変換のブロック境界のみを平滑化するものである。なお、補償データとは、復号化側で得られる画像を生成するためのデータと同様のデータとなる。
【手続補正４】
【補正対象書類名】明細書
【補正対象項目名】００２７
【補正方法】変更
【補正の内容】
【００２７】
図２は、本実施形態のイントラ予測部２１２の構成を説明するための図である。イントラ予測部２１２は、イントラ予測によって予測された結果に基づいて予測画像データを生成する予測画像生成部２を備えている。予測画像生成部２は、イントラバッファ１０１、処理対象となる画素ブロック（対象画素ブロック）の予測画像データを、イントラバッファ１０１に保存されている補償データのうちの対象画素ブロックと隣接する画素ブロック（隣接画素ブロック）に含まれて、かつ所定の方向に配置された画素に相当する補償データを使用して生成する計算部１００を備えている。
【手続補正５】
【補正対象書類名】明細書
【補正対象項目名】００３６
【補正方法】変更
【補正の内容】
【００３６】
イントラ予測とは、画素ブロックを符号化する場合に最も高い圧縮率を得られる方向を予測するため、予測モード０から予測モード８のうちから１つを選択する処理である。このような予測モードが与えられた場合、イントラ予測部２１２は、黒丸で示す画素値の値を例えば減算方向にコピーして、対象画素ブロックに含まれる画素値とすることができる。
【手続補正６】
【補正対象書類名】明細書
【補正対象項目名】００３９
【補正方法】変更
【補正の内容】
【００３９】
なお、本実施形態でいうラインバッファとは、二次元の座標と対応付けられるデータのうちｘ座標が等しいデータ（ｘ軸と平行な直線に沿って配置されるデータ）だけを取り込んで記憶するバッファである。また、本実施形態でいうカラムバッファとは、二次元の座標と対応付けられるデータのうちｙ座標が等しいデータ（ｙ軸と平行な直線に沿って配置されるデータ）だけを取り込んで記憶するバッファである。
バッファｂｕｆ０ｒｄ〜ｂｕｆ９ｒｄは、画素ブロック４０３の隣接画素ブロックのうちの画素ブロック４０１、４０２、４０３のイントラ予測に使用される画素だけを、画素の配置にしたがって保存するものである。